(57)【特許請求の範囲】
【請求項１】
防水性かつ不通気性の材料からなる膨張可能な袋体（１４）と、
圧縮ガスの容器（１２）と、
前記容器に関連付けられ、水中への当該浮揚装置の浸漬時に前記容器（１２）を開き、前記容器（１２）からのガスに前記袋体（１４）を膨張させるように動作可能である起動手段と、
前記袋体（１４）、前記容器（１２）、および、前記起動手段が収容されているケーシング（１０）と、
当該浮揚装置を別の物品に取り付ける手段（３７）と、
を備える浮揚装置であって、
前記起動手段が、
前記容器（１２）に搭載され、前記容器（１２）を前記膨張可能な袋体（１４）に連結するバルブ（１６）と、
前記バルブ（１６）を閉成状態に保持するため作動するリテイナー手段（３０；６０；６４；２２；６８）と、
水との接触時に、前記リテイナー手段（３０；６０）を開放し、前記バルブ（１６）を開成させる役目を果たす水反応性手段（３２；６２；６６；７４）と、を備え、
前記ケーシング（１０）には、水中への当該浮揚装置の浸漬時に前記水反応性手段（３２；６２；６６；７４）に水が浸透できるようにする少なくとも２列の別個の細長いアパーチャ（３８）が設けられており、
前記水反応性手段は、少なくとも一部分が水反応性である材料のバンド（３２；６２；６６；７４）を備え、前記バンド（３２；６２；６６；７４）は水中への当該浮揚装置の浸漬後に破断するようになっており、
前記起動手段は、前記水反応性バンド（３２；６２；６６；７４）による圧縮を受けて保持され、かつ、当該浮揚装置が水中に浸されて前記バンド（３２；６２；６６）が破断した場合に開放されて前記バルブ（１６）を開成させるばね（２２；３０；２２；７０）を含み、
照明装置（５０）が前記膨張可能な袋体（１４’）の内側に搭載され、
前記照明装置（５０）が少なくとも１個のバッテリー（５４）によって給電される発光ダイオード（ＬＥＤ）（５２）を備え、前記ＬＥＤ（５２）と前記バッテリー（５４）とは共通の筐体（５６）内に搭載され、前記共通の筐体（５６）が突起部（５８）を有し、それによって、前記共通の筐体（５６）が前記袋体（１４’）の外側から前記突起部（５８）の上に嵌め込まれたクリップまたはＯリング（５９）を用いて前記袋体（１４’）のネック部（１５’）から離れた位置で前記膨張可能な袋体（１４’）の内部に取り付けられ、
さらに、前記袋体（１４’）の非膨張時に一端部が前記バッテリー（５４）と前記ＬＥＤ（５２）との間に位置されるとともに、他端部が前記袋体（１４’）のネック部（１５’）に引っ掛けられた絶縁性材料の片（５３）を備え、前記袋体（１４’）の膨張時に、前記バッテリー（５４）と前記ＬＥＤ（５２）との間に位置された前記絶縁性材料の片（５３）の前記一端部が自動的に回収され、これによって、前記バッテリー（５４）が前記袋体（１４’）の膨張時に前記ＬＥＤ（５２）へ自動的に接続される、ことを特徴とする浮揚装置。
【請求項２】
前記容器（１２）がプラスチック材料からなり、前記圧縮ガスが水素化クロロフルオロカーボン化合物である、請求項１に記載の浮揚装置。
【請求項３】
前記バルブ（１６）が開成状態にばね付勢されている、請求項１または２に記載の浮揚装置。
【請求項４】
前記リテイナー手段が、前記バルブ（１６）から離れた前記容器（１２）の端部の周りに延在し、前記バルブ（１６）を係止する対向するグリッパーアーム（３１）を有するＵ字形状ばね（３０）を備える、請求項１〜３のいずれかに記載の浮揚装置。
【請求項５】
前記水反応性手段が、前記Ｕ字形状ばねのアーム（３１）が前記バルブ（１６）を係止している状態で、前記容器（１２）の周りで所定の位置に前記Ｕ字形状ばね（３０）を保持する、請求項４に記載の浮揚装置。
【請求項６】
前記リテイナー手段がレバー（６４，６８）を備える、請求項３に記載の浮揚装置。
【請求項７】
前記材料の前記バンド（６６）が前記容器（１２）の周りに延在し、前記バルブ（１６）を開成位置に付勢する前記ばね（２２）の作用に対抗して前記レバー（６４）を保持する、請求項６に記載の浮揚装置。
【請求項８】
前記リテイナー手段が前記バルブ（１６）を閉成位置に付勢する第１のばね（２２）を備える、請求項１または２に記載の浮揚装置。
【請求項９】
前記材料の前記バンド（７４）は、第２のばね（７０）の周りに延在して開放されるまで前記第２のばね（７０）を圧縮下で保持し、前記第２のばね（７０）は、開放されたときに、前記第１のばね（２２）の付勢に打ち勝って、前記バルブ（１６）を開成させるように配置されている、請求項８に記載の浮揚装置。
【請求項１０】
レバー（６８）が前記第２のばね（７０）と前記バルブ（１６）との間に設けられている、請求項９に記載の浮揚装置。
【請求項１１】
前記水反応性手段が澱粉ベースポリマー材料を含む、請求項１〜１０のいずれかに記載の浮揚装置。
【請求項１２】
前記装置の回収を容易化するため前記クリップまたはＯリング（５９）に付加的なループが設けられている、請求項１に記載の浮揚装置。
【請求項１３】
前記ケーシング（１０，１０’）が、前記膨張可能な袋体（１４，１４’）の上に重なり、前記袋体（１４，１４’）の膨張時に開放可能であるように係合間構成物によって前記ケーシング（１０，１０’）に搭載された端部キャップ（４０）の形をした閉鎖部を有する、請求項１〜１２のいずれかに記載の浮揚装置。
【請求項１４】
前記膨張可能な袋体（１４，１４’）と前記端部キャップ（４０）との間に搭載され、前記端部キャップ（４０）の中心位置に圧力を加えるように構成されている開放板（４６）を含む、請求項１３に記載の浮揚装置。
【発明の詳細な説明】
【技術分野】
【０００１】
本発明は、限定されるものではないが、鍵、財布、および、携帯電話のような他の物品に取り付け可能であり、このような物品が偶然に、または、そうでなくても水中に落とされたならば、このような物品のための浮きとしての役目を果たす自動的に膨張可能な袋体を組み込む装置に関係する。このようにして、このような物品の回収が容易化される。
【背景技術】
【０００２】
コルク装置は、長年に亘って、鍵のような品目に取り付けられ、例えば、港またはマリーナにおいて、これらの品目が水中に落下したならば、これらの品目を浮かせ、回収可能にさせる。これらのコルク装置は、比較的嵩張り、重い品目を支持するために十分な浮揚性がない。
【０００３】
より最近には、例えば、ＦＲ２７３３４８２、ＵＳ２００４／０１３７８１０およびＧＢ２４０６２６５Ａに、浮きとしての役目を果たす自動的に膨張可能な袋体を組み込む目的のための装置の種々の提案が行われている。これらの装置は、経済的に製造するにはすべて非現実的であるか、または、さもなければ、動作中に安全でないか、若しくは、信頼できない。例えば、ＦＲ２７３３４８２は、炭化カルシウムの水との接触時に化学反応によってアセチレンガスが発生させられる円筒を提案する。たとえ、この反応が確実に実現されるとしても、アセトンは可燃性があるので、使用するには明らかに安全でない。ＵＳ２００４／０１３７８１０における提案は、実際には最も不確実である膨張可能なバルーン内の２つの区画の間のバリアの水中での破壊を伴う。ＧＢ２４０６２６５Ａにおける提案およびその他の公知の装置は、圧縮二酸化炭素の密閉容器と、この密閉容器へのシールの穿刺を伴う起動装置との使用を必要とし、起動装置は水と接触する材料の破壊に依存している。これらの装置は、圧縮された二酸化炭素の密閉容器が金属で作られ、ガスを収容するために必要とされる高圧に耐えるために十分に頑強であることが必要であるので、製造に費用がかかる。さらに、これらの装置は、水で分解可能な材料までの水の通路中にエアロックを頻繁に発生させるだけでなく、このようなシールへの穿刺のため必要とされる力がかなり大きく、実現されないことがあるので、使用中に信頼性が高くない。
【０００４】
発明の目的
本発明の目的は、公知の装置または既に提案されている装置より高い費用効率で製造でき、かつ、使用中にはるかに信頼性が高いこの一般的なタイプの装置を提供することである。
【発明の開示】
【０００５】
本発明によれば、実質的に防水性かつ不通気性の材料で作られた膨張可能な袋体（inflatable bag）と、圧縮ガスの容器と、容器に関連付けられ、水中への装置の浸水時に容器を開き、容器からのガスに袋体を膨張させるように動作可能である起動手段と、袋体、容器、および、起動手段（trigger means）が収容されているケーシングと、装置を別の物品に取り付ける手段とを備える浮揚装置であって、このような装置の起動手段が、容器に搭載され、容器を膨張可能な袋体に連結するバルブと、前記バルブを閉成状態に維持するため作動するリテイナー手段と、水との接触時に、リテイナー手段を開放し、バルブを開成させる役目を果たす水反応性手段（water reactive means）と、を備えることを特徴とする浮揚装置が提案される。
【０００６】
このようにして開放されるようなバルブの動作は非常に信頼性が高い。
【０００７】
バルブは、一部の実施形態では、開成状態にばね付勢されてもよいが、別の実施形態では、バルブは閉成状態に付勢されてもよい。第１の上記の実施形態では開成状態へのばね付勢に対抗してバルブを保持し、あるいは、逆に、第２の実施形態では、閉成状態へのばね付勢に対抗するリテイナー手段の開放のため種々の仕組みが提案されている。第２の実施形態の場合、ばね自体がリテイナー手段を備える。
【０００８】
しかし、いずれの仕組みでも、水反応性手段が、好ましくは、少なくとも１つの水反応性の材料のバンド（片）の形で設けられている。澱粉ベースポリマーはこのようなバンドの適当な材料である。
【０００９】
有利的には、容器はプラスチック材料製でもよく、圧縮ガスは水素化クロロフルオロカーボン化合物が適している。このガスは、二酸化炭素よりはるかに低い圧力での圧縮を必要とし、従来型の安価なシガレットライターの筐体に類似したプラスチック材料製の低価格容器に安全かつ適切に収容され得る。さらに、このガスは安全に使用でき、環境危険性がない。
【００１０】
装置が沈められたときに装置への水の通路にエアロックが現れる可能性を防止するために、ケーシングは、好ましくは、複数個の側壁を有し、複数個の細長いアパーチャがこれらの側壁のうちの少なくとも２個に形成されている。付加的にまたは代替的に、ケーシングは少なくとも２列の細長いアパーチャの別個の列が設けられ、少なくとも１列がケーシングに水反応性手段の位置の上で設けられ、少なくとも１列がケーシングに水反応性手段の位置の下で設けられている。
【００１１】
本発明のいずれかの態様のさらなる展開では、照明装置が膨張可能な袋体の内側に搭載されると有利である。このような照明装置は、袋体の膨張時に発光ダイオード（ＬＥＤ）へ自動的に接続される少なくとも１個のバッテリーによって給電されるＬＥＤを備えると適当である。この接続は、絶縁材料片をバッテリーまたは複数個のバッテリーとＬＥＤとの間に最初から設置し、袋体の膨張時にバッテリーまたは複数個のバッテリーとＬＥＤとの間に延びている材料片が自動的に回収されるように前記材料片が袋体のネック部にも接続されていることによって実現され得る。
【００１２】
さらなる新しい展開は、膨張可能な袋体の内側でのこの照明装置の取り付け方である。この取り付けは、照明装置が膨張可能な袋体の内側に取り付けられるときに用いられる突起部を、好ましくは、袋体のネック部から離れた場所で、袋体の外側から前記突起部の上に嵌め込まれたクリップまたはＯリングによって、照明装置に設けることによって適切に実現される。さらなる可能性は、浮揚時の装置の回収を容易化するためクリップまたはＯリングに付加的な、好ましくは伸張可能なループを設けることである。
【００１３】
その他の有利な展開は、本発明の装置の特定の実施形態の以下の説明から明らかになる。
【００１４】
本発明は、一例として、添付図面を参照してさらに説明される。
【発明を実施するための最良の形態】
【００１５】
図１〜７を最初に参照すると、本発明の浮揚装置の実際的な実施形態は、ガス容器１２と膨張可能な袋体１４とを収容するプラスチック製の実質的に矩形状のケーシング１０を備え、容器１２が参照符号１６によって全体的に示されているバルブを介して袋体１４のネック部１５に連結されている。
【００１６】
膨張可能な袋体１４は、最新の避妊具のため使用されるタイプのポリウレタン膜のような実質的に防水性、不透水性、高柔軟性、かつ、頑丈な材料からなる。ガス容器１２は、プラスチック材料、典型的に、アセチルプラスチックで作られ、安価なシガレットライターの燃料タンクと同様のサイズおよび形状をもつ。内部のガスは、約４０ｐｓｉの圧力が加えられることがある水素化クロロフルオロカーボンである。
【００１７】
容器１２はケーシング１０の下方領域に収まり、袋体１４はケーシング１０の上方領域の小容積部内に畳み込まれている。図７に最もよく示されているように、バルブ１６は容器１２の上端壁１３に搭載されたカップ状本体部２６を備える。この本体部２６は壁を画定し、本体部の土台にはシーリング板１７が搭載されている。バルブは容器１２の内部と連通する側面開口部１８をさらに有する。軸方向に可動である管状バルブ部材１９は、管状バルブ部材１９と本体部との間のシーリングリング２９と共に、本体部２６のウェルに位置している。この管状部材１９は、袋体１４のネック部１５が部材１９の上端で楔形状のフランジ２８より下に収まるリング２４に連結されるとき、ガス容器１２の内部と袋体１４の内部との間に管路を設ける。本体部２６内で管状部材１９の周りに位置している螺旋ばね２２は、管状部材の下端部がシーリング板１７から持ち上げられているバルブ開成状態へ管状部材１９を付勢するためにシーリング板１７とカラー２７との間で管状部材に作用する（図８および９を参照のこと）。
【００１８】
しかし、Ｕ字型ばね３０およびバンド３２の形をしたリテイナー手段は、ばね２２の付勢に対抗して、管状部材１９を部材１９の下端部がシーリング板１７に堅固に押圧されているバルブ閉成状態に保持する役目を果たす。
【００１９】
図４および５に示されているように、Ｕ字形状ばね３０は、容器１２の土台の周りに延在する。容器１２の側壁および土台は、図４および５において明らかであるように、Ｕ字形状ばね３０のリムおよび中央部分を収容し位置付けるために凹みが設けられている。Ｕ字形状ばね３０は、上方端部で、管状バルブ部材を直前に説明されたような下方閉成状態に保持するために、管状バルブ部材１９上でさらなる中間フランジまたはカラー２５の裏側に収まる対向する内方へ向けられたグリッパーアーム３１を有する。Ｕ字形状ばね３０は、さらに遠くへ移動するグリッパーアーム３１と一体になってばねで開くＵ字形状ばねの自然な傾向に対抗して、容器１２とばね３０の各リムとを取り囲むバンド３２による圧縮を受けて保持されている。このバンド３２は、少しの間に亘り浸水させられたときに分解または破裂するという点で水反応性である。バンドは、完全または部分的に、塩水または淡水のいずれかに浸けられたときに柔らかくなり、および／または、分解する澱粉ベースポリマーのような材料から作られることがある。代替的に、バンドは、ポリウレタンのような水に反応しない材料片から作られることがあるが、この材料の端部は塩水中または淡水中のどちらでもすばやく溶解する炭酸カルシウムのような材料によって一緒に締結されている。
【００２０】
キャッチ突起部２３のペアは、袋体１４のネック部１５が中に挿入される中央アパーチャ３６を有する板３５を保持するため、容器１２の各側面で上端壁１３を超えて上方へ延在する。これは、装置の製造中の組立を容易化し、信頼性の高いバルブの動作および袋体１４の膨張もまた容易化する。
【００２１】
アパーチャ３９と一体で形成された円形タブ３７は、ガス容器１２の土台から一体的な拡張部分として設けられ、ケーシング１０内の対応する開口部の中を通って広がる。この円形タブは、キーホルダー、または、鍵、財布若しくはその他の品目のような類似した物品による装置の取り付けを可能にさせる。ガス容器１２への直接的な物品の取り付けは、装置が沈められると、展開された浮きからの物品の分離の危険性を最小限に抑えるが、物品の取り付けがケーシングを介して行われ、ケーシングが膨張した袋体および袋体の連結されたガス供給容器から分離する場合には、展開された浮きからの物品の分離はより高い可能性で起こる。
【００２２】
図１および２に示され、図４および５においても明らかであるように、同様に適当なプラスチック材料で作られているケーシング１０は、ケーシングの各側壁に２列の細長いアパーチャ３８が設けられ、そのうちの１列はバンド３２のレベルより上に配置され、そのうちの１列はバンド３２のレベルの直ぐ下に配置されている。このことは、装置の浸水時に、バンドが必要に応じて開放されるように、ある種のこれまでの装置において起こっているように水の浸透を遅延させるエアロックの危険性を伴わずに、水が素早くかつ確実にバンド３２に浸透することを保証する。
【００２３】
上端では、畳み込まれた袋体１４の上方で、ケーシング１０は端部キャップ４０によって閉鎖されている。端部キャップ４０は、側面エッジに隣接した端部キャップの内面から突出するラグ４２を有し、ラグ４２は、スナップフィット部として、ケーシング１０の対応する対向した側壁の上端付近に設けられた溝４４に係合可能である。このことは、袋体１４が浮きとして展開されていない正常な状況で端部キャップ４０がケーシング１０に確実に保持されることを可能にさせるが、装置の浸水に際して袋体１４の膨張時に端部キャップ４０の容易な開放も可能にさせる。しかし、このような容易な開放を保証するため、付加的な内板４６が袋体１４と端部キャップ４０との間に設けられている。この内板４６は、端部キャップ４０の内面の対応する中央ノッチに嵌るビードの形をした中央突起部４８を有する。袋体１４が膨張し始めるとき、圧力が袋体１４から内板４６へ伝達され、その後に、端部キャップ４０へ伝達されるにつれてビード４８の中心位置に集中させられる。このことは、端部キャップ４０を凸形状に変形させるので、各側面でそれぞれのラグ４２が同時に開放され、端部キャップ４０は全体として内板４６と共に素早くかつ確実に離昇する。
【００２４】
上記の装置の動作の方式は容易に理解できる。装置が水中に落とされたとき、水が多数のアパーチャ３８を介してケーシング１０に浸透し、バンド３２が破裂し、よって、Ｕ字形状ばねのグリッパーアーム３１が管状バルブ部材１９上のフランジ２５から離れて移動するように、Ｕ字形状ばね３０を開放する。従って、管状部材１９は、螺旋ばね２２によって開放され、直ちに上向きに押し進められ、これによって、バルブ１６を開成し、ガスが容器１２から袋体１４の中へ通り、袋体を膨張させることを可能にする。端部キャップ４０は上述されている通りにケーシング１０から押し外される。膨張した袋体１４によって与えられるような完全に展開された浮き付きの装置が図８に示されている。
【００２５】
約１０〜１５立方センチメートルに過ぎないガス容量を有する容器１２を含む約２０立方センチメートルの総体積を有する可能性がある小型装置から、少なくとも１．５リットル（通常は１．７５〜２リットル）の容量を有する膨張袋体が実現され得る。このような膨張袋体は、約１ｋｇまでの重さの物品を浮遊保持し、同時に、容易に見えるように水面より上に十分なバルーンを残す能力がある。
【００２６】
上記は例示的かつ非限定的な本発明の範囲であり、細部における多数の変更が他の実施形態において可能である。
【００２７】
他の観点においてはまさに上述された通りである１つの特有の変更された実施形態では、Ｕ字形状ばねは、張力を受けて保持され、それによって、正常時には、グリッパーアームがカラー２５の裏側に係合し、バルブ１６を下方の閉成位置に保持するように、グリッパーアームが互いの方へ押し進められる傾向がある異なるタイプでもよい。バンド３２は、異なるバンド、または、リムと容器１２との間で、Ｕ字形状ばねのリム内に搭載された１個以上のパッドによって置き換えられ、バンドまたはパッドは水の侵入時に膨張し、リムおよびグリッパーアームを強制的に引き離し、袋体１４の膨張のためにバルブ１６を開放する。
【００２８】
他の実施形態では、装置への物品の取り付けのための代替的または付加的な手段が、ケーシング１０に搭載された高接着粘着性材料からなる１個以上のパッドの形式で設けられることがある。このようにして、このような複数個の装置が、ラップトップコンピュータのようなより重量のある物品の浮揚補助として使用されることさえある。これらはボートに持ち運びされ得る。このような複数個の装置は、その後に、浮揚安全性を必要とする物品に、間隔を空けた場所で、接着させられる。このようにして、最大で１０ｋｇまでの重量の物品がこのタイプの複数個の浮揚装置によって支持され得るか、または、このような重い物品が本発明による１個以上のより大きな浮揚装置によって支持され得ると考えられる。
【００２９】
関連した展開では、本発明の一部の実施形態は、袋体の素早い膨張および浮きの展開のため必要とされるように急速かつ確実な水の侵入を保証するために要求されるケーシングのアパーチャをマスクするか、または、アパーチャの上に載せることなく、粘着性材料からなるパッドの取り付け手段を設けるために、ケーシングの周りに搭載された付加的な外装を含むことがある。従って、このような外装は、ケーシングにしっかりとクリップまたはラッチされることがあるが、ケーシングのアパーチャの少なくとも１部の列をアクセスできる状態に残すためにケーシングの周りの一部分だけに延在することがある。付加的に、または、代替的に、スペーサ手段が、ケーシングへの水の侵入およびケーシングのアパーチャを通る水の侵入のためギャップが維持されることを保証するために、外装とケーシングとの間に配置されることがある。
【００３０】
図１０は、展開された浮きが暗い条件または薄明かりの条件で見えるように、小型ＬＥＤユニット５０の形をした照明装置が膨張可能な袋体１４’の内側に搭載されている装置の特有の変形された形式を示している。ユニット５０は、筐体５６内に搭載された高輝度ＬＥＤ５２と３個のボタン電池５４とを備える。筐体５６は、好ましくは、筐体が、膨張時にガスが中を通って入るネック部１５’から離れた対向する場所で、袋体１４’の外側からビード５８の上に嵌め込まれたＯリング５９によって、袋体１４’の内側に取り付けられることを可能にさせるビードのような突起部５８と一体で形成されている。
【００３１】
本明細書に例示されていない有利な変形では、弾性材料からなるＯリングは、装置の初期状態において適切に畳み込まれ、装置のケーシング１０’内に詰め込まれ得る付加的なより大きなループと一体で形成されてもよい。このより大きなループは、端部キャップ４０’が開放されると自動的に広がり、ボートフックなどを用いて、展開された浮揚装置の回収を容易化する。
【００３２】
ＬＥＤユニット５０に関して、回路を遮断するために最初はＬＥＤ５２とバッテリー５４の接点の間に突出している絶縁材料片５３が設けられている。この片５３の一方の端部はさらに、この片が取付板３５’の中を通って延びる袋体１４’のネック部１５’に引っ掛けられている。従って、袋体１４’が膨張するとき、片５３は接点の間から自動的に回収される。バッテリー５４とＬＥＤ５２との間の回路が完成し、ＬＥＤが点灯する。場合によっては、適当な回路手段がＬＥＤ５２の間欠照明のために含まれることがあり、これにより、可能なバッテリー寿命を著しく延長する。
【００３３】
すべての他の観点において、図１０に示されている実施形態は図１〜９における実施形態と同じであり、同じ参照符号が対応する部品を指定するために使用されている。
【００３４】
さらなる変形実施形態では、無線周波数送信機が、ＬＥＤユニットに代えて、または、ＬＥＤユニットと共に膨張可能な袋体の内部に搭載されることがある。
【００３５】
図１１、１２および１３は、各実施形態が、前述の実施形態と比べると、バルブ１６を閉成状態に保つ異なるリテイナー手段と、バルブ１６が開成することを可能にするためリテイナー手段を開放する異なる手段とを有する、３つのさらなる実施形態を示す。しかし、これらの実施形態のすべては、リテイナー手段の開放を引き起こすために少なくとも１個の水反応性材料のバンドを利用する。
【００３６】
図１１に示された実施形態は、前述の実施形態と同様に管状バルブ部材１９がばね２２によって開成位置に付勢されているが、このバルブ部材１９は、Ｕ字形状ばね３０によって保持されるのではなく、それ自体が上端から下端まで容器１２の周りに延在する２個の水反応性バンド６２によって所定の位置に保持されている板６０によってばね付勢に対抗して保持されている。これらのバンド６２は、前述の実施形態におけるバンド３２に関して上述されているように形成されることがある。この仕組みは、製造中に組立目的のため、前述の実施形態より簡単であり、特殊なＵ字形状ばねの使用を回避するが、作動中には同等に効果的である。
【００３７】
図１２に示された実施形態もまた、前述の実施形態と同様に管状バルブ部材１９がばね２２によって開成位置に付勢されている。この場合、Ｕ字形状ばね３０は、一端が容器１２の壁に（６５で）旋回可能に取り付けられ、もう一方の一端がフランジまたはカラー２５の裏側でバルブ部材１９の周りに係合しているレバー６４によって置き換えられる。レバー６４は、この場合も同様に上端から下端まで容器１２の周りに延在する単一の水反応性バンド６６によってばね２２の付勢に対抗して抑えられている。これは、組立目的のため図１１の実施形態よりさらに簡単である。装置の全体的なサイズを最小限に抑えるため、バルブ１６は一方の側面へ移動させられ、バンド６６が中心の付近に位置付けられている。
【００３８】
代替的な可能性では、レバー６４は、図１２に示されたレバーと比べると、もう一方の側面で、すなわち、バルブ１６の位置の近くで、容器１２に旋回可能に取り付けられ、バンド６６はそのときレバー６４をレバーの自由端のより近くで抑えられている。この点に関して、バルブ部材１９は、袋体１４の膨張を可能にさせるため非常に短い距離だけ上昇させられればよい。
【００３９】
すべての他の点に関して、図１１および１２の実施形態は図１０の実施形態と同じであり、同じ参照符号が対応する部品のため使用されている。
【００４０】
図１３に示された実施形態は、すべての前述の実施形態とは対照的に、管状バルブ部材１９が閉成位置に付勢されているので、非常に異なる仕組みを有する。これは、部材１９の端部の近くでカップ形状バルブ本体部２６とフランジ２７１との間に作用するばね２２１によって実現されている。レバー６８は、容器１２の壁に（６９で）旋回可能に取り付けられている一端と、自由な他端とを有する。バルブ１６は、図１２の実施形態と同様に、一方の側面へ移動させられている。図１３ではバルブ１６はレバーアタッチメント６９の近くに示されている。レバー６８は、袋体１４’に連結するリング２４より下で、または、任意の他の適当に設けられたフランジより下でバルブ部材１９を係止する。図示されているように、第２の螺旋ばね７０が容器１２の上端壁１３とレバー６８との間に搭載されている。拡大詳細図ＡおよびＢに示されているように、このばね７０は上方取り付け板７１と下方取り付け板７２との間に位置している。詳細図Ａにおいて、ばねは、これらの板７１、７２の周りに巻き付けられた水反応性バンド７４による圧縮を受けて保持されている。バンド７４が巻き付けられた圧縮したばね７０は、装置の組立時に上端壁１３とレバー６８との間に設置される。装置が水中に浸されるとき、バンド７４は、詳細図Ｂに示されているように破裂し、ばね７０はレバー６８を上方へ押し進め、ばね２２の付勢に打ち勝ち、バルブ１６を開成する。
【００４１】
この場合も同様にすべての他の観点で、図１３の実施形態は図１０の実施形態と同じであり、同じ参照符号が対応する部品のため使用されている。
【００４２】
本発明は上記の実施形態の特定の細部に限定されることがなく、構造上の細部におけるその他の変形が請求項１に記載の本発明の範囲内で可能である。特に、例示された実施形態と比較して、浸水時に１０ｋｇ以上の重量が単一のこのような装置によって浮遊支持され得るように、コンピュータのような大型物品に取り付けるための手段と、比例してより大きな膨張可能な袋体および袋体のためのより大きなガス供給源とを用いて、非常に大きな装置を製造し得ることが考えられる。
【００４３】
本発明の特定の態様、実施形態、または、実施例と合わせて記載されている特徴は、非互換である場合を除いて、本明細書に記載されているあらゆる他の態様、実施形態、または、実施例に適用可能であることが理解されるべきである。
【図面の簡単な説明】
【００４４】
【図１】本発明の装置の第１の実際的な実施形態の側面図である。
【図２】同じ実施形態の正面図である。
【図３】同じ実施形態の平面図である。
【図４】同じ装置の図２の線Ｂ−Ｂによる断面図である。
【図５】同じ装置の図３の線Ａ−Ａによる断面図である。
【図６】同じ装置の図２の線Ｃ−Ｃによる断面図である。
【図７】図５に示された装置の中央領域の拡大詳細図である。
【図８】袋体が膨張させられたときの図１〜７の装置を表す縮小された略断面図である。
【図９】図８に示された膨張袋体状態における装置のケーシング領域の拡大詳細図である。
【図１０】図５に類似しているが拡大された本発明の装置の第２の実施形態の断面図である。
【図１１】図１０に類似した本発明の装置の第３の実施形態の断面図である。
【図１２】図１０に類似した本発明の装置の第４の実施形態の断面図である。
【図１３】図１０に類似した本発明の装置の第５の実施形態の断面図である。
【図１】
0005603015.tif 000002
【図２】
0005603015.tif 000003
【図３】
0005603015.tif 000004
【図４】
0005603015.tif 000005
【図５】
0005603015.tif 000006
【図６】
0005603015.tif 000007
【図７】
0005603015.tif 000008
【図８】
0005603015.tif 000009
【図９】
0005603015.tif 000010
【図１０】
0005603015.tif 000011
【図１１】
0005603015.tif 000012
【図１２】
0005603015.tif 000013
【図１３】
0005603015.tif 000014